(57)【要約】【課題】表示ライン上に揃う特定の図柄を変形、又は背後から照射するリールユニットを備える遊技機を提供する。【解決手段】遊技機１０は、複数の図柄列を変動表示すると共に所定の表示ライン上に、これらの図柄列を停止可能なリールユニット５０を備える。遊技者の操作により複数の図柄列の変動表示を開始させ、変動表示中の複数の図柄列を遊技者の操作により表示ライン上に停止させる。リールユニット５０は、複数のリールドラム５２ａと、リールドラム５２ａの外周に配置されて図柄列が描かれた帯状の柔軟フィルム５２ｂと、リールドラムの内部に配置されてリールドラムの遠心方向に進出可能な移動体となる発光体６１と、を有する。内部抽籤の結果に応じて、発光体６１を進出させて柔軟フィルム５２ｂに描かれた図柄を隆起させる。又、発光体６１を柔軟フィルム５２ｂに照射することもできる。【選択図】図４
2009055952.tif 000002
【特許請求の範囲】
【請求項１】
複数の図柄列を変動表示すると共に所定の表示ライン上にこれらの図柄列を停止可能な変動表示装置と、
遊技者の操作により前記複数の図柄列の変動表示を開始させる開始装置と、
変動表示中の前記複数の図柄列を遊技者の操作により前記表示ライン上に停止させる停止装置と、
前記変動表示装置の動作を制御する制御手段と、を備え、
前記変動表示装置は、複数のリールドラムと、このリールドラムの外周に配置されて前記図柄列が描かれた帯状の柔軟フィルムと、前記リールドラムの内部に配置されて当該リールドラムの遠心方向に進出可能な移動体と、を有し、
前記制御手段は、予め定められた内部抽籤の結果に応じて、前記移動体を進出させて前記柔軟フィルムに描かれた図柄を隆起させることを特徴とする遊技機。
【請求項２】
前記移動体は、前記柔軟フィルムに描かれた図柄を照射する発光体を先端部に有することを特徴とする請求項１記載の遊技機。
【請求項３】
前記移動体は、前記所定の表示ライン上に揃う図柄に対向していることを特徴とする請求項１又は２記載の遊技機。
【請求項４】
前記変動表示装置は、プッシュタイプの電磁ソレノイドを備え、この電磁ソレノイドの可動鉄心の先端部に前記移動体を取り付けていることを特徴とする請求項１から３のいずれかに記載の遊技機。
【請求項５】
前記発光体は、ガラス封止された発光ダイオードで構成されることを特徴とする請求項２記載の遊技機。
【発明の詳細な説明】
【技術分野】
【０００１】
本発明は、遊技機に関する。特に、複数の図柄を変動表示する変動表示部として、機械的に回転駆動される複数のリールを有する変動表示装置（以下、リールユニットという）を備える遊技機の構造に関する。
【背景技術】
【０００２】
遊技機の一種であるスロットマシンは、外周面に所定間隔で表示された複数種類の図柄を有する図柄列が描かれた複数のリールを回転自在に横方向に並列配置している。そして、複数の図柄を変動表示するリールユニットをスロットマシンの本体の中央部に配置している。遊技者は、この本体の正面の表示窓を通して、各リールの図柄をそれぞれ観察できる。
【０００３】
一般に、このリールは、リールドラムの外周にフィルム状のリール帯が貼られて構成されている。このリールドラムの内部には、３段に区画されたバックランプを設けており、リール帯の背後から光を照射する。そして、各バックランプが点灯すると、リール帯に描かれた図柄の内、各バックランプの前部に位置する３個の図柄が照らし出される。バックランプの照明により、表示窓に描かれた表示ライン上の複数の図柄が映し出される。
【０００４】
従来のリールユニットに備わるバックランプは寿命が短く、リールユニットの保守に手間を要するという不具合があった。又、リール帯に描く図柄の色は、バックランプの発光色を考慮して決める必要があるという不具合があった。そして、前述の不具合を解消するリールユニットを備える遊技機が発明されている（例えば、特許文献１参照）。
【０００５】
特許文献１による遊技機は、各リールのリール帯の背後にランプケースを設けている。このランプケースは、３部屋に区切られている。そして、各部屋には６個の白色ＬＥＤがリール帯のバックライト光源として設けている。各白色ＬＥＤは、遊技状態や停止ボタンの操作に応じて点灯制御される。
【０００６】
特許文献１による遊技機は、バックライトが白色ＬＥＤから構成されているため、光源の寿命は従来の白熱電球よりも飛躍的に長くなるとしている。又、バックライトは白色で発光するため、リール帯に描く図柄の色は、光源の発光色を考慮することなく定めることができる、としている。
【特許文献１】特開平１０−３２８３５０号公報
【発明の開示】
【発明が解決しようとする課題】
【０００７】
例えば、特許文献１による遊技機は、特定のバックライトを消灯することにより、内部抽籤結果を告知するように演出制御されていた。しかし、特定のバックライトを消灯する演出は、司法の判断で許可されない状況に至っている。
【０００８】
したがって、特定のバックライトを消灯する演出に代えて、内部抽籤結果を告知するように演出されるリールユニットを備える遊技機が求められている。そして、以上のことが、本発明の課題といってよい。
【０００９】
本発明は、このような問題に鑑みてなされたものであり、筐体内部に配置されるリールユニットを備える遊技機であって、表示ライン上に揃う特定の図柄を変形、又は背後から照射するリールユニットを備える遊技機を提供することを目的とする。
【課題を解決するための手段】
【００１０】
本発明者は、上記目的を達成するため、リールドラムの外周に貼られるリール帯を柔軟フィルムで構成し、この柔軟フィルムに描かれた特定の図柄を隆起、又は照射する強調手段を設けることにより、内部抽籤結果を告知するように演出可能なことを見出し、これに基づいて、以下のような新たなリールユニットを備える遊技機を発明するに至った。
【００１１】
（１）  複数の図柄列を変動表示すると共に所定の表示ライン上にこれらの図柄列を停止可能な変動表示装置と、遊技者の操作により前記複数の図柄列の変動表示を開始させる開始装置と、変動表示中の前記複数の図柄列を遊技者の操作により前記表示ライン上に停止させる停止装置と、前記変動表示装置の動作を制御する制御手段と、を備え、前記変動表示装置は、複数のリールドラムと、このリールドラムの外周に配置されて前記図柄列が描かれた帯状の柔軟フィルムと、前記リールドラムの内部に配置されて当該リールドラムの遠心方向に進出可能な移動体と、を有し、前記制御手段は、予め定められた内部抽籤の結果に応じて、前記移動体を進出させて前記柔軟フィルムに描かれた図柄を隆起させることを特徴とする遊技機。
【００１２】
（１）の発明による遊技機は、変動表示装置、開始装置、停止装置、及び制御手段を備えている。変動表示装置は、複数の図柄列を変動表示すると共に所定の表示ライン上にこれらの図柄列を停止可能となっている。開始装置は、遊技者の操作により複数の図柄列の変動表示を開始させる。停止装置は、変動表示中の複数の図柄列を遊技者の操作により表示ライン上に停止させる。制御手段は、変動表示装置の動作を制御する。
【００１３】
又、（１）の発明による遊技機は、変動表示装置が複数のリールドラムと、帯状の柔軟フィルムと、移動体とを有している。柔軟フィルムは、リールドラムの外周に配置されており、図柄列が描かれている。移動体は、リールドラムの内部に配置されており、リールドラムの遠心方向に進出可能となっている。そして、制御手段は、予め定められた内部抽籤の結果に応じて、移動体を進出させて柔軟フィルムに描かれた図柄を隆起させる。
【００１４】
ここで、変動表示装置は、複数の図柄を円周上に形成する複数のリールを並設配置して、各リールをモータなどで回転させる機械式のリールユニットであってよい。変動表示装置は、複数の図柄列を変動表示するとは、リールを回転させて図柄列を回転表示する形態を含むことができる。
【００１５】
（１）の発明による遊技機は、例えば、スロットマシンであってよく、開始装置となるスタートレバーを前面扉の前面に配置している。遊技者がこのスタートレバーを傾動操作すると、複数の図柄列を一斉に変動できる。又、前面扉は、所定領域の複数の図柄列を観察可能な表示窓を設けている。そして、この表示窓に所定の表示ラインを設けている。表示ラインとしては、水平方向にトップライン、センターライン及びボトムラインが設けられてよく、更に、斜め方向にクロスアップライン及びクロスダウンラインが設けられる。これらの表示ラインは、遊技者が、１回の遊技に投入するメダルなどの遊技媒体の個数により、有効化される表示ライン（有効ライン）が増減される。有効ライン上に揃う所定の図柄の組み合わせにより、入賞が決定される。
【００１６】
制御手段は、実体としてメイン基板（プリント基板）を含んでよく、このメイン基板は筐体の内部に配置される。又、制御手段は、メイン基板に回路構成される主制御部を含んでよく、この主制御部は、マイクロコンピュータを主たる構成要素としてよく、入賞を抽籤する乱数サンプリングの回路を加えて構成される。マイクロコンピュータは、予め設定されたプログラムにしたがって制御動作を行うＣＰＵを含み、記憶手段であるＲＯＭ及びＲＡＭを含むことができる。又、制御手段は、ランプの発光やスピーカの出音などを演出制御する副制御部を含んでよい。
【００１７】
ＣＰＵは、基準クロックパルスを発生するクロックパルス発生回路及び分周器と、サンプリングされる乱数を発生する乱数発生器及びサンプリング回路とを接続することができる。ＲＯＭには、スタートレバーを操作（スタート操作）する毎に行われる乱数サンプリングの判定に用いられる確率抽籤テーブル、停止ボタンの操作に応じてリールの停止態様を決定するための停止テーブル群などを格納できる。
【００１８】
例えば、複数のリールを回転駆動する各モータは、マイクロコンピュータからの制御信号により動作が制御される。又、各モータを駆動制御するモータ駆動回路を設けてよく、このモータ駆動回路は、ＣＰＵの出力部に接続される。モータ駆動回路は、ＣＰＵから出力される駆動指令の制御信号を受けて、各モータの動作を制御する。モータの動作とは、起動（回転開始）動作を含んでよく、定速回転動作を含んでよく、停止（回転停止）動作を含むことができる。
【００１９】
又、マイクロコンピュータが制御指令を発生するために必要な入力信号を発生する入力信号発生手段として、スタートスイッチとリール停止信号回路を含むことができる。スタートスイッチは、スタートレバーの操作を検出して、スタート信号（遊技開始指令信号）を出力する。リール停止信号回路は、停止装置に備わる複数の各停止ボタンの操作に対応して、リールを停止する停止信号（停止指令信号）を発生する。このように、制御手段は、可変表示装置の動作を制御することができる。
【００２０】
主制御部において、乱数発生器は、一定の数値範囲に属する乱数を発生し、サンプリング回路は、スタートレバーが操作された後の適宜のタイミングで１個の乱数をサンプリングすることができる。こうしてサンプリングされた乱数及びＲＯＭ内に格納されている確率抽籤テーブルに基づいて、当籤役が決定される。
【００２１】
上記乱数サンプリングに基づく抽籤処理（確率抽籤処理）に基づいて、ＣＰＵは、遊技者が複数の停止ボタンを操作したタイミングでリール停止信号回路から送られる操作信号、及び選択された「停止テーブル」に基づいて、複数のリールを停止制御する信号をモータ駆動回路に送ることができる。
【００２２】
ここで、主制御部は、ビッグボーナス（ＢＢ）などの特別入賞の当籤フラグが立ったとき、すなわち特別入賞可能状態であると判断されたときは、特定の移動体を進出させて、柔軟フィルムに描かれた図柄を隆起させるように副制御部に指令する。一方、「ＢＢ」などの特別入賞の当籤フラグが立たないとき、すなわち特別入賞可能状態でないと判断されたときは、主制御部は、いずれの移動体も進出しないように副制御部に指令する。
【００２３】
（１）の発明による遊技機は、変動表示装置が複数のリールドラムの外周に配置されて図柄列が描かれた帯状の柔軟フィルムと、リールドラムの内部に配置されてリールドラムの遠心方向に進出可能な移動体と、を有し、制御手段は、予め定められた内部抽籤の結果に応じて、移動体を進出させて柔軟フィルムに描かれた図柄を隆起させるので、特定のバックライトを消灯する演出に代えて、内部抽籤結果を予告する演出として利用できる。
【００２４】
（２）  前記移動体は、前記柔軟フィルムに描かれた図柄を照射する発光体を先端部に有することを特徴とする（１）記載の遊技機。
【００２５】
（２）の発明による遊技機は、柔軟フィルムに描かれた特定の図柄を照射するので、特定のバックライトを消灯する演出に代えて、内部抽籤結果を予告する演出として利用できる。
【００２６】
（３）  前記移動体は、前記所定の表示ライン上に揃う図柄に対向していることを特徴とする（１）又は（２）記載の遊技機。
【００２７】
（３）の発明による遊技機は、例えば、３列３段に配置されて９個の移動体を備えてよく、複数の図柄組み合わせによる特定の図柄が隆起又は照射により強調される。
【００２８】
（４）  前記変動表示装置は、プッシュタイプの電磁ソレノイドを備え、この電磁ソレノイドの可動鉄心の先端部に前記移動体を取り付けていることを特徴とする（１）から（３）のいずれかに記載の遊技機。
【００２９】
（４）の発明による遊技機は、電磁ソレノイドの可動鉄心の先端部に移動体を取り付けてよく、電磁ソレノイドを駆動することにより、移動体を進退させる。プッシュタイプの電磁ソレノイドを励磁すると、可動鉄心を進出してよく、プッシュタイプの電磁ソレノイドを消磁すると、可動鉄心を後退（復帰）することができる。プッシュタイプの電磁ソレノイドは、オンオフ制御で進退運動が実現できるという利点がある。
【００３０】
（５）  前記発光体は、ガラス封止された発光ダイオードで構成されることを特徴とする（２）記載の遊技機。
【００３１】
（５）の発明による遊技機は、発光体がガラス封止された発光ダイオードで構成されてよく、このガラス封止体は、先端部が半球状に形成された筒体が好ましく、図柄を半球状に隆起できる。又、柔軟フィルムに当接される移動体の先端部がガラスであれば、耐磨耗に優れている。
【発明の効果】
【００３２】
本発明による遊技機は、変動表示装置が複数のリールドラムの外周に配置されて図柄列が描かれた帯状の柔軟フィルムと、リールドラムの内部に配置されてリールドラムの遠心方向に進出可能な移動体と、を有し、制御手段は、予め定められた内部抽籤の結果に応じて、移動体を進出させて柔軟フィルムに描かれた図柄を隆起させるので、特定のバックライトを消灯する演出に代えて、内部抽籤結果を予告する演出として利用できる。
【発明を実施するための最良の形態】
【００３３】
以下、図面を参照して本発明を実施するための最良の形態を説明する。
【００３４】
図１は、本発明による遊技機の一実施形態を示す正面図である。図２は、前記実施形態による遊技機の筐体の内部構造を示す斜視外観図であり、前面扉を開いた状態図である。
【００３５】
図３は、前記実施形態による遊技機に備わるリールユニットの斜視外観図である。図４は、前記実施形態による遊技機に備わるリールユニットを示す右側面図であり、一部を拡大して示している。図５は、前記実施形態によるリールユニットを示す正面図であり、一部破断して示している。図６は、前記実施形態による遊技機に備わるリールユニットを示す右側面図であり、リールユニットに備わる発光体が点灯している状態図である。図７は、前記実施形態による遊技機に備わるリールユニットの要部斜視分解組立図である。
【００３６】
最初に、本発明による遊技機の一実施の形態の構成を説明する。図１及び図２において、遊技機１０は、いわゆるパチスロ機であり、コイン、メダル、遊技球又はトークンなどの他、遊技者に付与された、又は付与される遊技価値の情報を記憶したカードなどの遊技媒体を用いて遊技する遊技機であるが、以下ではメダルを用いるものとして説明する。又、変動表示装置は、リールをモータなどで回転させる機械式のリールユニットとして説明する。
【００３７】
図１及び図２において、遊技機１０は本体１２を有している。本体１２は、筐体１１と、筐体１１を開閉する前面扉１３とを備えている。そして、筐体１１の内部には、リールユニット５０が配置されている。筐体１１の内部は、棚４３で上下に仕切られており、棚４３にリールユニット５０が載置されている。
【００３８】
図２において、棚４３の下方には、投入されたメダルを収納、又はメダルをメダル受け皿４０に払い出すホッパー４５や、還元率設定スイッチ７２を含む電源ボックス４６が配置されている。棚４３の上方には、遊技機１０を制御するメイン基板（プリント基板）及びサブ基板（プリント基板）を含む制御盤４７などが配置されている。
【００３９】
図１又は図２において、前面扉１３に形成される正面パネル２２には、矩形状の表示窓部１４が設けられている。表示窓部１４は、個別の表示窓１４Ｌ・１４Ｃ・１４Ｒに区画されている。リールユニット５０には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓部１４を介して観察可能に配置されている。
【００４０】
図１において、表示窓部１４の下方右側には、略水平の台座部２８が設けられており、その上面右側には、遊技者がメダルを入れるための投入口２５が設けられている。ここで、メダルは、コイン、メダル、又はトークンと称される有価価値である。
【００４１】
図１において、台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。台座部２８の前面の左側には、開始装置としてのスタートレバー３２が傾動可能に設けられている。
【００４２】
スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓部１４において変動表示される。
【００４３】
図１において、台座部２８の前面の中央には、停止装置としての３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００４４】
図１において、スタートレバー３２の左側には、払出しボタン３６が設けられている。遊技者が払出しボタン３６を押動操作したときには、投入されているメダルが正面下部のメダル払出口３８から払い出され、払い出されたメダルはメダル受け皿４０に溜められる。
【００４５】
図１において、表示窓部１４には、実線で示す横に３本（中央及び上下）及び斜めに２本の入賞ライン（表示ライン）が設けられている。例えば、表示ラインとして、水平方向にトップライン、センターライン及びボトムラインが設けられ、斜め方向にクロスアップライン及びクロスダウンラインが設けられる。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。
【００４６】
このような入賞ラインの有効化は、各入賞ラインの両端に配置された有効化ライン表示ランプ（図示せず）が点灯することにより、遊技者に表示される。そして、有効ライン上に揃う所定の図柄の組み合わせにより、入賞が決定される。
【００４７】
次に、本発明による遊技機に備わるリールユニットの構成を説明する。図３において、リールユニット５０は、三つのリール２６Ｌ・２６Ｃ・２６Ｒと、リールケース５１を備えている。前述のように、リール２６Ｌ・２６Ｃ・２６Ｒは、各外周面に複数種類の図柄を表示している。
【００４８】
図３又は図６において、リールケース５１は、三つのリール２６Ｌ・２６Ｃ・２６Ｒを軸方向に並列配置している。リールケース５１内には、各リール２６Ｌ・２６Ｃ・２６Ｒを回転駆動するモータ５４Ｌ・５４Ｃ・５４Ｒが配置されている。各リール２６Ｌ・２６Ｃ・２６Ｒは、モータ５４Ｌ・５４Ｃ・５４Ｒによって独立して回転駆動できる。
【００４９】
図３において、リール２６Ｒに注目すると、リール２６Ｒは、リールドラム５２ａと、リールドラム５２ａの外周に配置された柔軟フィルム５２ｂとを有している。そして、リールドラム５２ａの外周面はその両外縁を除いて開口面となっている。つまり、柔軟フィルム５２ｂはリールドラム５２ａの外周面に沿って張架されている。柔軟フィルム５２ｂには図柄列が描かれている。なお、リール２６Ｃ・２６Ｌもリール２６Ｒと同様に、リールドラムと柔軟フィルムとを有している。
【００５０】
図３又は図６において、リールケース５１は、一対の側面板５１ａ・５１ｂ、上面板５１ｅ、及び下面板５１ｆで略直方体に構成されている。又、リールケース５１は、上面板５１ｅ及び下面板５１ｆに固定された二つのアングル部材５１ｃ・５１ｄを有している。そして、リール２６Ｒを駆動するモータ５４Ｒが側面板５１ａに取り付けられている。又、リール２６Ｃ及びリール２６Ｌを駆動する各モータ５４Ｃ・５４Ｌが各アングル部材５１ｃ・５１ｄに取り付けられている。
【００５１】
図３から図６において、側面板５１ａには支持台５３Ｒが取り付けられている。支持台５３Ｒには、後述する移動体が配設されている。そして、この移動体は、リールドラム５２ａの遠心方向に進出可能に配置され、後述するようにして、予め定められた内部抽籤の結果に応じて、移動体を進出させて柔軟フィルム５２ｂに描かれた図柄を隆起させる。
【００５２】
なお、図３から図６において、アングル部材５１ｃにも支持台５３Ｃが取り付けられ、支持台５３Ｃには、リール２６Ｃのリールドラムの遠心方向に進出可能な移動体が配置されている。又、アングル部材５１ｃにも支持台５３Ｌが取り付けられ、支持台５３Ｌには、リール２６Ｌのリールドラムの遠心方向に進出可能な移動体が配置されている。
【００５３】
図２において、前述した制御盤４７は、メイン基板に回路構成される主制御部を有しており、この主制御部は、例えば、マイクロコンピュータを主たる構成要素として構成され、入賞を抽籤する乱数サンプリング回路を加えて構成されている。マイクロコンピュータは、予め設定されたプログラムに応じて制御動作を行うＣＰＵを備えており、更に、記憶手段としてＲＯＭ及びＲＡＭを有している。又、制御盤４７には、ランプの発光やスピーカの出音などを演出制御する副制御部が含まれている。
【００５４】
更に、図示はしないが、ＣＰＵには、基準クロックパルスを発生するクロックパルス発生回路及び分周器と、サンプリングされる乱数を発生する乱数発生器及びサンプリング回路とが接続されており、前述のＲＯＭには、スタートレバーを操作（スタート操作）する毎に行われる乱数サンプリングの判定に用いられる確率抽籤テーブル、停止ボタンの操作に応じてリールの停止態様を決定するための停止テーブル群などが格納されている。
【００５５】
リール２６Ｌ・２６Ｃ・２６Ｒを回転駆動する各モータは、マイクロコンピュータからの制御信号により動作が制御される。そして、各モータを駆動制御するモータ駆動回路が備えられ、このモータ駆動回路は、ＣＰＵの出力部に接続される。モータ駆動回路は、ＣＰＵから出力される駆動指令の制御信号を受けて、各モータの動作を制御することになる。なお、モータの動作とは、起動（回転開始）動作、定速回転動作、及び停止（回転停止）動作などを含んでいる。
【００５６】
更に、マイクロコンピュータが制御指令を発生するために必要な入力信号を発生する入力信号発生手段として、スタートスイッチとリール停止信号回路を有している。スタートスイッチは、スタートレバーの操作を検出して、スタート信号（遊技開始指令信号）を出力する。リール停止信号回路は、停止装置に備わる複数の各停止ボタンの操作に対応して、リールを停止する停止信号（停止指令信号）を発生する。このように、マイクロコンピュータは、可変表示装置の動作を制御することができる。
【００５７】
主制御部において、乱数発生器は、一定の数値範囲に属する乱数を発生する。サンプリング回路は、スタートレバーが操作された後の所定のタイミングで１個の乱数をサンプリングする。こうしてサンプリングされた乱数及びＲＯＭ内に格納されている確率抽籤テーブルに基づいて、当籤役が決定されることになる。
【００５８】
上記乱数サンプリングに基づく抽籤処理（確率抽籤処理）に基づいて、ＣＰＵは、遊技者が複数の停止ボタンを操作したタイミングでリール停止信号回路から送られる操作信号及び選択された「停止テーブル」に基づいて、複数のリールを停止制御する信号をモータ駆動回路に送る。
【００５９】
主制御部は、ビッグボーナス（ＢＢ）などの特別入賞の当籤フラグが立ったとき、つまり、特別入賞可能状態であると判断した際に、後述するようにして、特定の移動体を進出させて、柔軟フィルム５２ｂに描かれた図柄を隆起させるように、副制御部に指令する。一方、「ＢＢ」などの特別入賞の当籤フラグが立たないとき、つまり、特別入賞可能状態でないと判断した際には、主制御部は、いずれの移動体も進出しないように副制御部に指令する。
【００６０】
上述の説明から明らかなように、複数のリールドラムと、このリールドラムの外周に配置されて図柄列が描かれた帯状の柔軟フィルムと、リールドラムの内部に配置されてこのリールドラムの遠心方向に進出可能な移動体とによって変動表示装置が構成されることになる。
【００６１】
ここで、図４及び図７を参照して、リール２６Ｒに対応する移動体の移動機構５６について説明する。なお、リール２６Ｃ・２６Ｌに対応する各移動体の移動機構も同様である。図示の例では、移動機構５６は、第１から第３移動機構部５６ａ〜５６ｃを有しており、第１から第３移動機構部５６ａ〜５６ｃは、同一の構成（構造）を有している。そして、第１から第３移動機構部５６ａ〜５６ｃは、モータ５４Ｒの出力軸５４ａの軸心を中心として所定の角度間隔で径方向の外方に延在している。
【００６２】
図３から図７において、支持台５３Ｒは、折り曲げ片５５にねじで固定されている。第１の折り曲げ片５５は、側面板５１ａの中間にリール２６Ｒの背後に部分的に折り曲げられている。同様に、第２及び第３の折り曲げ片５５は、アングル部材５１ｃ・５１ｄの中間に各リール２６Ｃ・２６Ｌの背後に部分的に折り曲げられている。そして、二つの支持台５３Ｃ・５３Ｌは、各第２及び第３の折り曲げ片５５にねじで固定されている。
【００６３】
このように、各支持台５３Ｒ・５３Ｃ・５３Ｌは、同じ構成となっているので、側面板５１ａに取り付けられる支持台５３Ｒを代表して、移動機構部の構成を以下説明する。図７において、支持台５３は、折り曲げ片５５に固定される取り付け部５３ａと、第１から第３移動機構部５６ａ〜５６ｃを保持する保持部５３ｂと、を有している。
【００６４】
図７において、保持部５３ｂは、第１から第３保持領域５３１〜５３３に区画されている。第１及び第３保持領域５３１・５３３は、第２保持領域５３２の両翼に下り傾斜するように形成されている。そして、第１から第３保持領域５３１〜５３３に各第１から第３移動機構部５６ａ〜５６ｃが保持されている。第１から第３保持領域５３１〜５３３には、それぞれ貫通穴が形成され、後述するように、これら貫通穴に各第１から第３移動機構部５６ａ〜５６ｃの雄ねじ部が挿通される。
【００６５】
図７において、第１移動機構部５６ａは、いわゆるプッシュタイプの電磁ソレノイド５７を主構成としている。電磁ソレノイド５７は、可動鉄心５７ａとコイルが内蔵された筒状のフレーム５７ｂで構成されている。フレーム５７ｂの基端部には、圧縮コイルばね５８が配設されている。圧縮コイルばね５８は、励磁されて突出した可動鉄心５７ａを復帰させる力を付勢している。そして、フレーム５７ｂの先端部には、ナット５９と螺合する雄ねじ部が形成されている。
【００６６】
図７において、フレーム５７ｂの先端部は、第１から第３保持領域５３１〜５３３に設けられた各貫通穴に下側から挿入され、ナット５９で締結される。そして、可動鉄心５７ａが各第１から第３保持領域５３１〜５３３から突出した状態に保持される。
【００６７】
図７において、可動鉄心５７ａの先端部には、雄ねじ部が形成されている。一方、発光体６１を保持する筒状のハウジング６１ａには、雌ねじ部が形成されており、可動鉄心５７ａの雄ねじ部が螺合される。ナット６０は、可動鉄心５７ａの雄ねじ部に予め螺合されている。そして、ナット６０は、ハウジング６１ａに締結する緩み止めとしてのダブルナットとして機能する。
【００６８】
このように、電磁ソレノイド５７の可動鉄心５７ａの先端部には、移動体である発光体６１が取り付けられている。発光体６１は、例えば、ガラス封止された発光ダイオードであってよく、発光体６１のガラス封止体は、その先端部が半球状に形成された筒体となっている。
【００６９】
なお、図７において、発光体６１に接続するリード線は、図示を省略している。又、第２及び第３移動機構部５６ｂ・５６ｃは、第１移動機構部５６ａとその構造を同一としているので、その構成要素を同一の符号で示している。
【００７０】
次に、本発明による遊技機の作用を説明する。前述したように、主制御部は、当籤フラグに応じて副制御部を制御して、移動体を進退させる。つまり、当籤フラグが立つと、主制御部は当籤フラグの種別に応じて決定される電磁ソレノイド５７を副制御部の指令によって励磁する。これによって、当籤フラグの種別に応じた可動鉄心５７ａが遠心方向に進出し、可動鉄心５７ａの先端に配設された発光体６１が柔軟フィルム５２ｂを押圧することになる。
【００７１】
これによって、柔軟フィルム５２ｂは押圧された部分が外側に膨らむことになる。つまり、図柄が隆起する。一方、電磁ソレノイド５７を消磁すると、可動鉄心５７ａが後退し、発光体６１による柔軟フィルム５２ｂの押圧が終了する。なお、柔軟フィルム５２ｂは押圧が解除されると元の形状に復帰する。
【００７２】
図４では、第３移動機構部５６ｃの電磁ソレノイド５７が励磁することにより、発光体６１が柔軟フィルム５２ｂを押圧して、隆起させている状態を示している。又、図３では、ボトムライン上に揃う図柄を三つの発光体６１が隆起させている状態を示している（図５参照）。電磁ソレノイド５７を励磁の際に、該当する発光体６１を発光させてもよい。又、図６に示すように、電磁ソレノイド５７を消磁の際に、該当する発光体６１を発光させてもよい。
【００７３】
このようにして、本発明による遊技機は、当籤フラグの種別、つまり、内部抽籤の結果に応じて、移動体（発光体６１）を進出させて、柔軟フィルム５２ｂに描かれた図柄を隆起させているので、特定のバックライトを消灯する演出に代えて、内部抽籤結果を予告する演出を行うことができる。更に、発光体６１によって柔軟フィルム５２ｂに描かれた図柄を照射するようにすれば、隆起した図柄が明るくなるので、より演出効果を増すことができる。
【００７４】
更に、この実施の形態では、プッシュタイプの電磁ソレノイド５７を用いて発光体６１を進退させているから、電磁ソレノイドをオンオフ制御するだけで、発光体６１の進退運動を実現できる。又、発光体６１として、ガラス封止された発光ダイオードを用い、ガラス封止体の先端部を半球状に形成するようにしたので、図柄を半球状に隆起できるばかりでなく、柔軟フィルム５２ｂに当接する先端部がガラスであるから、耐磨耗に優れているという利点がある。
【図面の簡単な説明】
【００７５】
【図１】本発明による遊技機の一実施形態を示す正面図である。
【図２】前記実施形態による遊技機の筐体の内部構造を示す斜視外観図であり、前面扉を開いた状態図である。
【図３】前記実施形態による遊技機に備わるリールユニットの斜視外観図である。
【図４】前記実施形態による遊技機に備わるリールユニットを示す右側面図であり、一部を拡大して示している。
【図５】前記実施形態によるリールユニットを一部破断して示す正面図である。
【図６】前記実施形態によるリールユニットを示す正面図であり、一部破断して示している。
【図７】前記実施形態による遊技機に備わるリールユニットの要部斜視分解組立図である。
【符号の説明】
【００７６】
１０  遊技機
３２  スタートレバー（開始装置）
３４Ｌ・３４Ｃ・３４Ｒ  リール停止ボタン（停止装置）
４７  制御盤（制御手段）
５０  リールユニット（変動表示装置）
５２ａ  リールドラム
５２ｂ  柔軟フィルム
６１  発光体（移動体）
【図１】
2009055952.tif 000003
【図２】
2009055952.tif 000004
【図３】
2009055952.tif 000005
【図４】
2009055952.tif 000006
【図５】
2009055952.tif 000007
【図６】
2009055952.tif 000008
【図７】
2009055952.tif 000009